(57)【要約】【課題】水垢の生成を抑制することができるトイレ装置を提供することを目的とする。【解決手段】便器のボウルの表面を洗浄水により洗浄する洗浄手段と、前記ボウルの表面に洗浄水を供給する洗浄水供給手段と、前記洗浄手段による洗浄動作が完了した後、前記洗浄動作において前記ボウルの表面に残存した洗浄水が乾燥する前に、前記洗浄水供給手段を動作させ、前記洗浄水供給手段による洗浄水供給動作が完了した後、前記洗浄水供給動作において前記ボウルの表面に残存した洗浄水が乾燥する前に、前記洗浄水供給手段を再度動作させる制御を実行する制御部と、を備えたことを特徴するトイレ装置が提供される。【選択図】図２
2014066026.tif 000002
【特許請求の範囲】
【請求項１】
便器のボウルの表面を洗浄水により洗浄する洗浄手段と、
前記ボウルの表面に洗浄水を供給する洗浄水供給手段と、
前記洗浄手段による洗浄動作が完了した後、前記洗浄動作において前記ボウルの表面に残存した洗浄水が乾燥する前に、前記洗浄水供給手段を動作させ、前記洗浄水供給手段による洗浄水供給動作が完了した後、前記洗浄水供給動作において前記ボウルの表面に残存した洗浄水が乾燥する前に、前記洗浄水供給手段を再度動作させる制御を実行する制御部と、
を備えたことを特徴するトイレ装置。
【請求項２】
前記洗浄水供給手段は、前記便器の後端の上部に配置され前記ボウルの表面へ前記洗浄水を噴射する噴射ノズルを有し、
前記噴射ノズルが噴射する１回あたりの水量は、前記洗浄手段が吐出する１回あたりの水量よりも少ないことを特徴とする請求項１記載のトイレ装置。
【請求項３】
周囲の気温を測定する外気温測定手段をさらに備え、
前記制御部は、前記外気温測定手段の測定値に応じて、前記洗浄水供給手段による洗浄水供給動作が完了してから前記洗浄水供給手段を再度動作させるまでの時間間隔を調整することを特徴とする請求項１または２に記載のトイレ装置。
【請求項４】
開閉自在に設けられ閉じた状態で前記ボウルの上方を覆う便蓋をさらに備え、
前記制御部は、前記洗浄手段による洗浄動作が完了した後に、前記便蓋を閉じることを特徴とする請求項１〜３のいずれか１つに記載のトイレ装置。
【請求項５】
便器のボウルの表面を洗浄水により洗浄する洗浄手段と、
前記ボウルの表面に結露が生ずる温度に前記ボウルの表面の温度を低下させる便器温度調整手段と、
前記洗浄手段による洗浄動作が完了した後、前記便器温度調整手段により前記ボウルの表面に結露が生ずる温度に前記ボウルの表面の温度を低下させる制御を実行する制御部と、
を備えたことを特徴とするトイレ装置。
【請求項６】
前記便器温度調整手段は、
空気を冷却可能な熱交換器ユニットと、
前記熱交換器ユニットにより冷却された空気を前記ボウルの表面へ吹き付ける送風ファンと、
を有することを特徴とする請求項５記載のトイレ装置。
【発明の詳細な説明】
【技術分野】
【０００１】
本発明の態様は、一般的に、トイレ装置に関する。
【背景技術】
【０００２】
例えば大便器あるいは小便器のボウル面を洗浄水で洗浄した後にボウル面に残った残水が蒸発してボウル面が乾燥すると、水垢がボウル面に付着することがある。水垢がボウル面に付着すると、ボウル面が汚れてしまう。また、水垢はボウル面に強固に付着しているため、水垢を取り除くことは難しい。そのため、水垢の生成を抑制する技術が求められている。さらに、ケイ酸成分の水垢は、カルシウム成分やマグネシウム成分などの水垢よりも強固に便器の釉薬表面に固着する。そのため、ケイ酸成分の水垢を容易に除去できる技術が切望されている。
【０００３】
ここで、カルシウムイオンおよびマグネシウムイオンを主成分とするスケールの付着を防止する衛生洗浄装置がある（特許文献１）。しかし、特許文献１に記載された衛生洗浄装置では、装置が大掛かりになるという問題がある。  
次に、ｐＨ４〜６の水素イオン濃度を有する殺菌性上水を生成し、その殺菌性上水を被洗浄物体に供給する殺菌性上水供給式洗浄用住設機器がある（特許文献２）。また、洗浄操作がなされて所定時間が経過した後に、機能水をボウル部へ吐出する水栓式大便器がある（特許文献３）。しかし、特許文献２および特許文献３には、ケイ酸成分の水垢に関する記載はない。水垢の生成を抑制する点においては、改善の余地がある。
【先行技術文献】
【特許文献】
【０００４】
【特許文献１】特開２００４−２７０１８５号公報
【特許文献２】特開平７−１３６６６０号公報
【特許文献３】特開２００４−９２２７８号公報
【発明の概要】
【発明が解決しようとする課題】
【０００５】
本発明は、かかる課題の認識に基づいてなされたものであり、水垢の生成を抑制することができるトイレ装置を提供することを目的とする。
【課題を解決するための手段】
【０００６】
第１の発明は、便器のボウルの表面を洗浄水により洗浄する洗浄手段と、前記ボウルの表面に洗浄水を供給する洗浄水供給手段と、前記洗浄手段による洗浄動作が完了した後、前記洗浄動作において前記ボウルの表面に残存した洗浄水が乾燥する前に、前記洗浄水供給手段を動作させ、前記洗浄水供給手段による洗浄水供給動作が完了した後、前記洗浄水供給動作において前記ボウルの表面に残存した洗浄水が乾燥する前に、前記洗浄水供給手段を再度動作させる制御を実行する制御部と、を備えたことを特徴するトイレ装置である。
【０００７】
このトイレ装置によれば、ボウルの表面が乾燥することを抑え、ボウルの表面を洗浄水で濡れた状態に維持することができる。これにより、ボウルの表面が乾燥することによる水垢の生成を抑制することができる。
【０００８】
第２の発明は、第１の発明において、前記洗浄水供給手段は、前記便器の後端の上部に配置され前記ボウルの表面へ前記洗浄水を噴射する噴射ノズルを有し、
前記噴射ノズルが噴射する１回あたりの水量は、前記洗浄手段が吐出する１回あたりの水量よりも少ないことを特徴とするトイレ装置である。
【０００９】
このトイレ装置によれば、噴射ノズルが噴射する比較的少ない量の水で、ボウルの表面は、濡れた状態に維持される。そのため、効率的に、ボウルの表面に水垢が生成し難いトイレ装置を提供することができる。
【００１０】
第３の発明は、第１または第２の発明において、周囲の気温を測定する外気温測定手段をさらに備え、前記制御部は、前記外気温測定手段の測定値に応じて、前記洗浄水供給手段による洗浄水供給動作が完了してから前記洗浄水供給手段を再度動作させるまでの時間間隔を調整することを特徴とするトイレ装置である。
【００１１】
このトイレ装置によれば、制御部は、外気温に応じて洗浄水供給手段を動作させる時間間隔を調整する。そのため、外気温が比較的高く、ボウルの表面が比較的乾燥しやすい状況でも、ボウルの表面が乾燥することによる水垢の生成を抑制することができる。
【００１２】
第４の発明は、第１〜第３のいずれか１つの発明において、開閉自在に設けられ閉じた状態で前記ボウルの上方を覆う便蓋をさらに備え、前記制御部は、前記洗浄手段による洗浄動作が完了した後に、前記便蓋を閉じることを特徴とするトイレ装置である。
【００１３】
このトイレ装置によれば、洗浄手段による洗浄動作が完了した後には、ボウル内の空間は、略密閉状態あるいは略閉じた空間の状態となる。そのため、ボウルの表面が乾燥することを遅らせることができる。これにより、ボウルの表面が乾燥することによる水垢の生成を抑制することができる。
【００１４】
第５の発明は、便器のボウルの表面を洗浄水により洗浄する洗浄手段と、前記ボウルの表面に結露が生ずる温度に前記ボウルの表面の温度を低下させる便器温度調整手段と、前記洗浄手段による洗浄動作が完了した後、前記便器温度調整手段により前記ボウルの表面に結露が生ずる温度に前記ボウルの表面の温度を低下させる制御を実行する制御部と、を備えたことを特徴とするトイレ装置である。
【００１５】
このトイレ装置によれば、洗浄手段による洗浄動作が完了した後には、ボウルの表面に結露が生ずる。そのため、ボウルの表面に結露が生じない場合と比較すると、ボウルの表面に水が残存しやすい。そのため、ボウルの表面は、濡れた状態に維持される。これにより、ボウルの表面が乾燥することによる水垢の生成を抑制することができる。
【００１６】
第６の発明は、第５の発明において、前記便器温度調整手段は、空気を冷却可能な熱交換器ユニットと、前記熱交換器ユニットにより冷却された空気を前記ボウルの表面へ吹き付ける送風ファンと、を有することを特徴とするトイレ装置である。
【００１７】
このトイレ装置によれば、冷却された空気をボウルの表面へ吹き付けることで、ボウルの略全面の温度を結露が生ずる温度に低下させることができる。そのため、効率的に、ボウルの表面に水垢が生成し難いトイレ装置を提供することができる。
【発明の効果】
【００１８】
本発明の態様によれば、水垢の生成を抑制することができるトイレ装置が提供される。
【図面の簡単な説明】
【００１９】
【図１】本発明の実施の形態にかかるトイレ装置を表す模式的斜視図である。
【図２】本実施形態にかかるトイレ装置の要部構成を表すブロック図である。
【図３】本実施形態の噴射ノズルが洗浄水あるいは殺菌水を噴射する状態を例示する模式的断面図である。
【図４】本実施形態にかかるトイレ装置の動作の概略を例示するタイミングチャート図である。
【図５】本発明の他の実施の形態かかるトイレ装置を表す模式的斜視図である。
【図６】本発明のさらに他の実施の形態かかるトイレ装置を表す模式的斜視図である。
【図７】本実施形態にかかるトイレ装置の動作の概略を例示するタイミングチャート図である。
【図８】本発明のさらに他の実施の形態かかるトイレ装置を表す模式的斜視図である。
【図９】ボウルの表面の乾燥状態の一例を例示する模式的平面図である。
【図１０】本発明者が実施した検討の条件を説明する模式図である。
【図１１】ボウルの表面の乾燥状態の他の一例を例示する模式的平面図である。
【図１２】ボウルの表面に結露が生ずる温度を説明するグラフ図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
図２は、本実施形態にかかるトイレ装置の要部構成を表すブロック図である。  
図３は、本実施形態の噴射ノズルが洗浄水あるいは殺菌水を噴射する状態を例示する模式的断面図である。  
なお、図１では、説明の便宜上、便座２００を省略している。図２は、水路系と電気系の要部構成を併せて表している。図３は、図１に表した切断面Ａ−Ａにおける模式的断面図である。
【００２１】
図１に表したトイレ装置１０は、洋式腰掛便器（以下説明の便宜上、単に「便器」と称する）８００と、その上に設けられた衛生洗浄装置１００と、を備える。衛生洗浄装置１００は、ケーシング４００と、便座２００（図３参照）と、便蓋３００と、を有する。便座２００と便蓋３００とは、ケーシング４００に対して開閉自在にそれぞれ軸支されている。便蓋３００は、閉じた状態で、便器８００のボウル８０１の上方を覆う。
【００２２】
便器８００の後端の上部には、噴射ノズル４８１（洗浄水供給手段）が設けられている。図１および図３に表したように、噴射ノズル４８１は、便器８００のボウル８０１の表面に洗浄水や殺菌水などを噴射する。
【００２３】
図２に表したように、衛生洗浄装置１００は、水道や貯水タンクなどの図示しない給水源から供給された水を噴射ノズル４８１などに導く第１の流路１０１を有する。第１の流路１０１の上流側には、第１の電磁弁４３１が設けられている。第１の電磁弁４３１は、開閉可能な電磁バルブであり、ケーシング４００の内部に設けられた制御部４０５からの指令に基づいて水の供給を制御する。
【００２４】
衛生洗浄装置１００は、給水源から供給された水を便器８００のボウル８０１の表面に導く第２の流路１０２を有する。第２の流路１０２の上流側には、第２の電磁弁４３２が設けられている。第２の電磁弁４３２は、開閉可能な電磁バルブであり、制御部４０５からの指令に基づいて水の供給を制御する。第２の電磁弁４３２の下流の第２の流路１０２の途中には、洗浄手段４２０が設けられている。洗浄手段４２０は、便器８００のボウル８０１の表面を洗浄水により洗浄する。
【００２５】
第１の電磁弁４３１の下流の第１の流路１０１の途中には、殺菌水生成装置４５０が設けられている。殺菌水生成装置４５０は、例えば次亜塩素酸などを含む殺菌水を生成する。殺菌水生成装置４５０としては、例えば、電解槽ユニットが挙げられる。電解槽ユニットは、制御部４０５からの通電の制御によって、陽極板（図示せず）と陰極板（図示せず）との間の空間（流路）を流れる水道水を電気分解する。  
なお、殺菌水は、次亜塩素酸を含むものには限定されない。殺菌水は、例えば金属イオンを含む酸性度の高い水溶液（酸性水）などであってもよい。
【００２６】
殺菌水生成装置４５０の下流には、切替弁４７２が設けられている。切替弁４７２は、噴射ノズル４８１への給水の開閉や切替を行う。第１の流路１０１は、切替弁４７２により、噴射ノズル４８１へ水を導く第３の流路１０３と、例えば洗浄ノズルなどへ水を導く第４の流路１０４と、に分岐される。噴射ノズル４８１は、切替弁４７２から供給された殺菌水あるいは洗浄水をボウル８０１へ噴射する。
【００２７】
例えばケーシング４００の下部には、ボウル８０１に紫外線（ＵＶ：ultraviolet）を照射するＵＶ光源４８３が設けられている。噴射ノズル４８１およびＵＶ光源４８３は、ケーシング４００の内部に設けられていてもよいし、ケーシング４００の外部に付設されていてもよい。
【００２８】
制御部４０５は、図示しない電源回路から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部（例えばリモコン）などからの信号に基づいて、第１の電磁弁４３１や、第２の電磁弁４３２や、洗浄手段４２０や、殺菌水生成装置４５０や、切替弁４７２や、ＵＶ光源４８３や、噴射ノズル４８１などの動作を制御することができる。
【００２９】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３０】
人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００３１】
入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００３２】
図１に表したトイレ装置１０では、入室検知センサ４０２は、ケーシング４００の後方の側方部に設けられている。入室検知センサ４０２は、便蓋３００が閉じた状態でも使用者の入室を検知する。そして、例えば、入室検知センサ４０２が使用者を検知すると、制御部４０５は、入室検知センサ４０２の検知結果に基づいて便蓋３００を自動的に開くことができる。あるいは、入室検知センサ４０２が使用者を検知しなくなってから所定時間が経過すると、制御部４０５は、入室検知センサ４０２の検知結果に基づいて便蓋３００を自動的に閉じることができる。
【００３３】
着座検知センサ４０４および人体検知センサ４０３は、ケーシング４００の前方の側方部に設けられている。但し、着座検知センサ４０４、人体検知センサ４０３、および入室検知センサ４０２の設置形態は、これだけに限定されず、適宜変更することができる。
【００３４】
ケーシング４００の内部には、便座２００に座った使用者の「おしり」などの洗浄を実現する身体洗浄機能部などが内蔵されていてもよい。この場合には、着座検知センサ４０４が便座２００に座った使用者を検知している場合において、使用者が例えばリモコンなどの操作部を操作すると、図示しない洗浄ノズルを便器８００のボウル８０１内に進出させることができる。例えば、洗浄ノズルは、ノズルダンパー４７９を押して開き、便器８００のボウル８０１内に進出する。洗浄ノズルは、その先端部に設けられた吐水口（図示せず）から水を噴射して、便座２００に座った使用者の「おしり」などを洗浄することができる。
【００３５】
ケーシング４００には、便座２００に座った使用者の「おしり」などに向けて温風を吹き付けて乾燥させる「局部乾燥手段」や、「脱臭ユニット」や、「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。但し、本実施形態においては、身体洗浄機能部や、「局部乾燥手段」や、「脱臭ユニット」や「室内暖房ユニット」などは、必ずしも設けられていなくともよい。
【００３６】
ここで、洗浄手段４２０による洗浄動作が終了した後にボウル８０１に残った残水が蒸発してボウル８０１の表面が乾燥すると、水垢がボウル８０１に付着することがある。通常、残水中の水分が蒸発する過程でケイ酸濃度が増加すると、ケイ酸の重合が促進される。これにより、コーヒーステイン現象（液滴中の溶媒の蒸発によって溶質が液滴の外郭へ流動しリング状に堆積する現象）が起き、強固な水垢が形成される。水垢がボウル８０１に付着すると、ボウル８０１が汚れてしまう。また、水垢はボウル８０１に強固に付着しているため、水垢を取り除くことは難しい。
【００３７】
また、ボウル８０１の表面に光触媒層が形成されている場合において、光触媒層の表面に水垢が形成されると、その部位の光触媒の活性が著しく低下し、復元不能な場合がある。
【００３８】
すなわち、光触媒を活性化させるためには、あるいは光触媒の活性を維持するためには、光触媒層が形成されたボウル８０１の表面に紫外線を定期的に照射する必要がある。すなわち、光触媒は、紫外線を照射されると、励起して酸化還元反応を生ずる。その結果、雑菌や細菌や臭気物質などの有機物を分解する分解作用と、表面が水に濡れやすい親水作用と、を得ることができる。光触媒層がボウル８０１の表面に形成されている場合には、汚物の付着を抑制したり、汚物を分解したり、付着した水垢を容易に除去できるため、便器８００の清掃負担を軽減し、きれいな便器８００を維持することができる。
【００３９】
ここで、本願明細書において、「光触媒」とは、光を照射すると、酸化作用および還元作用の少なくともいずれかが促進されるものをいう。あるいは、「光触媒」とは、光を照射すると、親水性が向上するものをいう。
【００４０】
「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）などを挙げることができる。これらのうちでも、特に、酸化チタンは、光触媒として活性であり、また、安定性や安全性などの点でも優れる。
【００４１】
また、本願明細書において、「紫外線」とは、可視光線よりも波長が短く、軟Ｘ線よりも波長が長い光をいう。具体的には、波長が１０ナノメータ〜４００ナノメータの光をいう。
【００４２】
しかし、光触媒層の表面に水垢が形成されると、紫外線が水垢の下の光触媒層に照射されない。すると、光触媒の活性が著しく低下する場合がある。また、水膜がボウル８０１の表面に形成されている状態で、その水膜に紫外線が照射されると、ケイ酸の重合が促進される。そのため、光触媒層と強固に固着する水垢が形成される。これにより、その部位の光触媒の活性が著しく低下し、復元不能な場合がある。
【００４３】
これに対して、本実施形態にかかるトイレ装置１０では、制御部４０５は、洗浄手段４２０による洗浄動作が終了した後、ボウル８０１の表面が乾燥する前に、噴射ノズル４８１を動作させる。噴射ノズル４８１は、便器８００のボウル８０１の表面に洗浄水や殺菌水などを噴射する。続いて、制御部４０５は、噴射ノズル４８１の動作が完了した後、ボウル８０１の表面が乾燥する前に、噴射ノズル４８１を再度動作させる。噴射ノズル４８１は、便器８００のボウル８０１の表面に洗浄水や殺菌水などを再度噴射する。
【００４４】
本実施形態によれば、噴射ノズル４８１は、ボウル８０１の表面が乾燥する前に、便器８００のボウル８０１の表面に洗浄水や殺菌水などを噴射する動作を繰り返す。そのため、ボウル８０１の表面が乾燥することを抑え、ボウル８０１の表面を洗浄水や殺菌水で濡れた状態に維持することができる。これにより、ボウル８０１の表面が乾燥することによる水垢の生成を抑制することができる。そのため、ボウル８０１の表面に水垢が生成し難いトイレ装置１０を提供することができる。
【００４５】
なお、図１〜図３に関しては、洗浄水供給手段が噴射ノズル４８１である場合を例に挙げて説明した。洗浄水供給手段は、噴射ノズル４８１には限定されない。例えば、洗浄手段４２０が洗浄水供給手段を兼用してもよい。この場合には、洗浄手段４２０がボウル８０１の表面を濡れた状態に維持するために水を供給するときの流量は、洗浄手段４２０がボウル８０１の表面を洗浄するために水を供給するときの流量よりも少ない。以下では、洗浄水供給手段が噴射ノズル４８１である場合を例に挙げて説明する。
【００４６】
次に、本実施形態にかかるトイレ装置１０の動作について、図面を参照しつつ説明する。  
図４は、本実施形態にかかるトイレ装置の動作の概略を例示するタイミングチャート図である。
【００４７】
例えば、使用者が操作部（例えばリモコン）などを操作すると、洗浄手段４２０は、制御部４０５からの信号に基づいて、便器８００のボウル８０１の表面を洗浄水により洗浄する（タイミングｔ１〜ｔ２）。洗浄手段４２０による洗浄動作が終了してから所定時間が経過すると、あるいは入室検知センサ４０２が使用者を検知しなくなってから所定時間が経過すると、制御部４０５は、便蓋３００を自動的に閉じる（タイミングｔ３）。制御部４０５が便蓋３００を閉じるトリガは、これだけに限定されない。例えば、制御部４０５は、着座検知センサ４０４や人体検知センサ４０３などからの信号に基づいて便蓋３００を自動的に閉じてもよい。
【００４８】
続いて、制御部４０５は、ボウル８０１の表面が乾燥する前に、噴射ノズル４８１を動作させる。噴射ノズル４８１は、便器８００のボウル８０１の表面に洗浄水や殺菌水などを噴射する（タイミングｔ４〜ｔ５）。このときに噴射ノズル４８１が噴射する１回あたりの水量は、洗浄手段４２０が吐出する１回あたり水量よりも少ない。噴射ノズル４８１が噴射する１回あたりの水量は、例えば約２５〜５０ｃｃ（cubic centimeter）程度である。洗浄手段４２０が吐出する１回あたり水量は、約２〜５リットル程度である。
【００４９】
続いて、制御部４０５は、噴射ノズル４８１の動作が完了した後、ボウル８０１の表面が乾燥する前に、噴射ノズル４８１を再度動作させる。噴射ノズル４８１は、便器８００のボウル８０１の表面に洗浄水や殺菌水などを再度噴射する（タイミングｔ６〜ｔ７）。噴射ノズル４８１は、タイミングｔ６〜ｔ７に関する動作を繰り返す（タイミングｔ８〜ｔ９）。
【００５０】
本実施形態によれば、ボウル８０１の表面が乾燥することを抑え、ボウル８０１の表面を洗浄水や殺菌水で濡れた状態に維持することができる。これにより、ボウル８０１の表面が乾燥することによる水垢の生成を抑制することができる。  
また、噴射ノズル４８１が噴射する比較的少ない量の水で、ボウル８０１の表面は、濡れた状態に維持される。そのため、効率的に、ボウル８０１の表面に水垢が生成し難いトイレ装置を提供することができる。
【００５１】
さらに、洗浄手段４２０の動作後は、制御部４０５は、便蓋３００を閉じる。そのため、ボウル８０１内の空間は、略密閉状態あるいは略閉じた空間の状態となる。そのため、ボウル８０１の表面が乾燥することを遅らせることができる。これにより、ボウル８０１の表面が乾燥することによる水垢の生成を抑制することができる。
【００５２】
次に、本発明の他の実施の形態について、図面を参照しつつ説明する。  
図５は、本発明の他の実施の形態かかるトイレ装置を表す模式的斜視図である。  
なお、図５では、説明の便宜上、便座２００を省略している。
【００５３】
図５に表したトイレ装置１１は、図１に関して前述したトイレ装置１０と比較して、外気温測定手段４８５をさらに備える。外気温測定手段４８５は、トイレ装置１１の周囲の気温（外気温）を測定する。トイレ装置１１のその他の構造は、図１に関して前述したトイレ装置１０の構造と同様である。
【００５４】
トイレ装置１１の周囲の気温が相対的に高い場合に噴射ノズル４８１が洗浄水の噴射を終了してからボウル８０１の表面が乾燥するまでの時間は、トイレ装置１１の周囲の気温が相対的に低い場合に噴射ノズル４８１が洗浄水の噴射を終了してからボウル８０１の表面が乾燥するまでの時間よりも短い。これについては、後に詳述する。
【００５５】
そのため、本実施形態では、制御部４０５は、外気温測定手段４８５の測定値（外気温）に応じて、噴射ノズル４８１の動作完了から噴射ノズル４８１の次の動作開始までの時間間隔Ｔ（例えば図４に表したタイミングｔ５〜ｔ６およびタイミングｔ７〜ｔ８の間の時間間隔）を調整する。例えば、外気温測定手段４８５の測定値が相対的に高い場合の時間間隔Ｔ１は、外気温測定手段４８５の測定値が相対的に低い場合の時間間隔Ｔ２よりも短い。これにより、外気温が比較的高く、ボウル８０１の表面が比較的乾燥しやすい状況でも、ボウル８０１の表面が乾燥することによる水垢の生成を抑制することができる。なお、時間間隔Ｔは、例えば約１〜１０分間程度である。
【００５６】
制御部４０５は、時間間隔Ｔではなく、外気温測定手段４８５の測定値に応じて噴射ノズル４８１が噴射する１回あたりの水量を調整してもよい。例えば、外気温測定手段４８５の測定値が相対的に高い場合の噴射ノズル４８１の１回あたりの噴射水量は、外気温測定手段４８５の測定値が相対的に低い場合の噴射ノズル４８１の１回あたりの噴射水量よりも多い。これによれば、外気温が比較的高く、ボウル８０１の表面が比較的乾燥しやすい状況でも、ボウル８０１の表面が乾燥することによる水垢の生成を抑制することができる。
【００５７】
図６は、本発明のさらに他の実施の形態かかるトイレ装置を表す模式的斜視図である。  図７は、本実施形態にかかるトイレ装置の動作の概略を例示するタイミングチャート図である。  
なお、図６では、説明の便宜上、便座２００および便蓋３００を省略している。
【００５８】
図６に表したトイレ装置１２は、図１に関して前述したトイレ装置１０と比較して、冷却水生成ユニット４５２（便器温度調整手段）をさらに備える。あるいは、図６に表したトイレ装置１２は、図１に関して前述したトイレ装置１０の殺菌水生成装置４５０の代わりに設けられた冷却水生成ユニット４５２を備える。
【００５９】
冷却水生成ユニット４５２は、冷却水を生成することができる。本願明細書において「冷却水」とは、加熱あるいは冷却していない温度（常温）の水よりも低い温度の水をいうものとする。あるいは、本願明細書において「冷却水」とは、ボウル８０１の表面に結露を生じさせる温度の水をいうものとする。これについては、後に詳述する。
【００６０】
冷却水生成ユニット４５２により生成された冷却水は、噴射ノズル４５４（便器温度調整手段）へ導かれる。図６に表したように、噴射ノズル４５４は、冷却水生成ユニット４５２から供給された冷却水を便器８００のボウル８０１の表面へ噴射する。冷却水生成ユニット４５２および噴射ノズル４５４は、ボウル８０１の表面に結露が生ずる温度にボウル８０１の表面の温度を低下させることができる。トイレ装置１２のその他の構造は、図１に関して前述したトイレ装置１０の構造と同様である。
【００６１】
例えば、図７に表したように、使用者がトイレ装置１２を使用する前の待機状態では、制御部４０５は、冷却水生成ユニット４５２を動作させ、噴射ノズル４５４から冷却水を便器８００のボウル８０１の表面へ噴射させる（タイミングｔ１１以前）。このとき、噴射ノズル４５４は、冷却水を連続的に噴射してもよい。あるいは、噴射ノズル４５４は、所定の時間間隔を空けて噴射を繰り返してもよい（図７に表した破線参照）。あるいは、図５に関して前述したように、制御部４０５は、外気温測定手段４８５（図５参照）の測定値（外気温）に応じて、冷却水生成ユニット４５２の動作完了から冷却水生成ユニット４５２の次の動作開始までの時間間隔を調整してもよい。
【００６２】
続いて、人体検知センサ４０３が便座２００の前方にいる使用者を検知すると、制御部４０５は、冷却水生成ユニット４５２の動作を停止させる（タイミングｔ１１）。続いて、着座検知センサ４０４が便座２００に着座した使用者を検知しなくなって（タイミングｔ１２）から所定時間（図７では５分間）が経過すると、制御部４０５は、冷却水生成ユニット４５２の動作を再度開始させる（タイミングｔ１３以降）。タイミングｔ１３以降の冷却水生成ユニット４５２の動作は、タイミングｔ１１以前の冷却水生成ユニット４５２の動作と同様である。
【００６３】
本実施形態によれば、洗浄手段４２０による洗浄動作が終了した後には、ボウル８０１の表面に結露が生ずる。そのため、ボウル８０１の表面に結露が生じない場合と比較すると、ボウル８０１の表面に水が残存しやすい。そのため、ボウル８０１の表面は、濡れた状態に維持される。これにより、ボウル８０１の表面が乾燥することによる水垢の生成を抑制することができる。
【００６４】
図８は、本発明のさらに他の実施の形態かかるトイレ装置を表す模式的斜視図である。  なお、図８では、説明の便宜上、便座２００および便蓋３００を省略している。
【００６５】
図８に表したトイレ装置１３は、図１に関して前述したトイレ装置１０と比較して、熱交換器ユニット４５６（便器温度調整手段）と、送風ファン４５８（便器温度調整手段）と、をさらに備える。あるいは、図８に表したトイレ装置１３は、図１に関して前述したトイレ装置１０の殺菌水生成装置の代わりに設けられた熱交換器ユニット４５６を備える。あるいは、図８に表したトイレ装置１３は、図１に関して前述したトイレ装置１０の噴射ノズル４８１の代わりに設けられた送風ファン４５８を備える。
【００６６】
熱交換器ユニット４５６は、空気を加熱したり冷却したりすることができる。熱交換器ユニット４５６により加熱された空気あるいは熱交換器ユニット４５６により冷却された空気は、送風ファン４５８へ導かれる。送風ファン４５８は、熱交換器ユニット４５６から供給された空気を便器８００のボウル８０１の表面へ吹き付ける。熱交換器ユニット４５６および送風ファン４５８は、ボウル８０１の表面に結露が生ずる温度にボウル８０１の表面の温度を低下させることができる。
【００６７】
本実施形態では、熱交換器ユニット４５６は、ボウル８０１の表面に結露を生じさせる温度に空気を冷却する。送風ファン４５８は、熱交換器ユニット４５６により冷却された空気を便器８００のボウル８０１の表面へ吹き付ける。
【００６８】
本実施形態によれば、洗浄手段４２０による洗浄動作が終了した後には、ボウル８０１の表面に結露が生ずる。そのため、図６および図７に関して前述した効果と同様の効果が得られる。さらに、送風ファン４５８が熱交換器ユニット４５６により冷却された空気を便器８００のボウル８０１の表面へ吹き付けることで、ボウル８０１の略全面の温度を結露が生ずる温度に低下させることができる。そのため、効率的に、ボウル８０１の表面に水垢が生成し難いトイレ装置１３を提供することができる。
【００６９】
次に、本発明者が実施した検討の結果の例について、図面を参照しつつ説明する。  
図９は、ボウルの表面の乾燥状態の一例を例示する模式的平面図である。  
図１０は、本発明者が実施した検討の条件を説明する模式図である。  
図１１は、ボウルの表面の乾燥状態の他の一例を例示する模式的平面図である。
【００７０】
図１０（ａ）に表したように、本検討では、本発明者は、まず噴射ノズル４８１から便器８００のボウル８０１の表面へ上水を噴射させた。続いて、図１０（ｂ）に表したように、本発明者は、洗浄手段４２０による便器８００の洗浄動作を実行した。続いて、図１０（ｃ）に表したように、本発明者は、噴射ノズル４８１から便器８００のボウル８０１の表面へ殺菌水を噴射させた。本検討では、本発明者は、殺菌水としてアルミニウムイオン（Ａｌ３＋）を含む水溶液を使用した。そして、本発明者は、便器８００の洗浄を実行した直後から所定の時間間隔でボウル８０１の表面の乾燥状態を観察した。ボウル８０１の表面の乾燥状態は、図９および図１１に表した通りである。
【００７１】
図９は、室温（外気温）が２５℃、湿度が５３％ＲＨのときのボウル８０１の表面の乾燥状態を表す。図１１は、室温が４０℃、湿度が２０％ＲＨのときのボウル８０１の表面の乾燥状態を表す。
【００７２】
図９に表したように、室温が２５℃、湿度が５３％ＲＨのときには、便器８００の洗浄を実行した直後から６分後には、「水引き」が生じ始める。一方で、図１１に表したように、室温が４０℃、湿度が２０％ＲＨのときには、便器８００の洗浄を実行した直後から１分後には、「水引き」が生じ始める。  
本願明細書において「水引き」とは、ボウル８０１の表面に残存した水の蒸発およびボウル８０１の表面に残存した水の溜水部８０５（図２および図３参照）への滑落の少なくともいずれかにより、ボウル８０１の表面が乾燥した状態をいうものとする。
【００７３】
これにより、室温が相対的に高い場合に噴射ノズル４８１が洗浄水や殺菌水などの噴射を終了してからボウル８０１の表面が乾燥するまでの時間は、室温が相対的に低い場合に噴射ノズル４８１が洗浄水や殺菌水などの噴射を終了してからボウル８０１の表面が乾燥するまでの時間よりも短いことが分かった。あるいは、湿度が相対的に低い場合に噴射ノズル４８１が洗浄水や殺菌水などの噴射を終了してからボウル８０１の表面が乾燥するまでの時間は、湿度が相対的に高い場合に噴射ノズル４８１が洗浄水や殺菌水などの噴射を終了してからボウル８０１の表面が乾燥するまでの時間よりも短いことが分かった。
【００７４】
図１２は、ボウルの表面に結露が生ずる温度を説明するグラフ図である。  
図１２（ａ）は、気温と水蒸気量との関係を表すグラフ図である。図１２（ｂ）は、所定の気温における飽和水蒸気量を表すグラフ図である。
【００７５】
図１２（ａ）および図１２（ｂ）に表したように、気温が相対的に高いと、空気は、相対的に多い水蒸気を含むことができることが分かる。これにより、気温が相対的に高いと、飽和水蒸気量は、相対的に多くなることが分かる。
【００７６】
ここで、本発明者は、便器８００のボウル８０１内の湿度を測定した。便器８００のボウル８０１内の湿度は、約７５％ＲＨ程度であった。この場合には、図１２（ａ）に表したように、図６〜図８に関して前述した便器温度調整手段により、ボウル８０１の表面の温度を約５〜７℃程度低下させると、ボウル８０１の表面に結露を生ずることが分かった。なお、便器８００のボウル８０１内の湿度は、約７５％ＲＨ程度には限定されない。本検討において本発明者が測定した湿度は、一例である。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗浄水供給手段（例えば噴射ノズル４８１、洗浄手段４２０）および便器温度調整手段（冷却水生成ユニット４５２、噴射ノズル４５４、熱交換器ユニット４５６、送風ファン４５８）などが備える各要素の形状、寸法、材質、配置などや噴射ノズル４８１および送風ファン４５８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０、１１、１２、１３ トイレ装置、  １００ 衛生洗浄装置、  １０１ 第１の流路、  １０２ 第２の流路、  １０３ 第３の流路、  １０４ 第４の流路、  ２００ 便座、  ３００ 便蓋、  ４００ ケーシング、  ４０２ 入室検知センサ、  ４０３ 人体検知センサ、  ４０４ 着座検知センサ、  ４０５ 制御部、  ４０７ 排気口、  ４０８ 排出口、  ４２０ 洗浄手段、  ４３１ 第１の電磁弁、  ４３２ 第２の電磁弁、  ４５０ 殺菌水生成装置、  ４５２ 冷却水生成ユニット、  ４５４ 噴射ノズル、  ４５６ 熱交換器ユニット、  ４５８ 送風ファン、  ４７２ 切替弁、  ４７９ ノズルダンパー、  ４８１ 噴射ノズル、  ４８３ ＵＶ光源、  ４８５ 外気温測定手段、  ８００ 便器、  ８０１ ボウル、  ８０５ 溜水部
【図１】
2014066026.tif 000003
【図２】
2014066026.tif 000004
【図３】
2014066026.tif 000005
【図４】
2014066026.tif 000006
【図５】
2014066026.tif 000007
【図６】
2014066026.tif 000008
【図７】
2014066026.tif 000009
【図８】
2014066026.tif 000010
【図１０】
2014066026.tif 000011
【図１２】
2014066026.tif 000012
【図９】
2014066026.tif 000013
【図１１】
2014066026.tif 000014